(57)【要約】ワイヤレス通信システムにおいて受信信号を処理するための復調器アーキテクチャ。復調器は、合成器に結合された多数の相関器を含む。各相関器は概して（前記受信信号から生成される）入力サンプルを各逆拡散系列によって逆拡散して逆拡散されたサンプルを提供する。各相関器は次に、前記逆拡散されたサンプルをデカバーしてデカバーされた“半シンボル”を提供し、さらに、前記デカバーされた半シンボルをパイロット推定によって復調して相関されたシンボルを生成する。デカバー処理は、前記送信された信号におけるデータシンボルをカバーするのに使用されるウォルシュシンボルの長さ（２Ｔ）の半分の長さ（Ｔ）をもつウォルシュシンボルによって実行される。合成器は前記割り当てられた相関器からの相関されたシンボルを選択的に合成して復調されたシンボルを提供する。１つまたはそれ以上の相関器は、各送信された信号の１つまたはそれ以上のインスタンスを処理するために割り当てられる。デカバーされた半シンボルを復調するために各割り当てられた相関器内で使用されるパイロット推定は、当該相関器によって処理されている信号インスタンスに基づいて生成される。
2004503982.tif 000002
【特許請求の範囲】
【請求項１】
ワイヤレス通信システムにおいて受信信号を処理するための復調器であって、
複数の相関器であって、各々の相関器は、前記受信信号から生成された複数の入力サンプルを受信してデカバーし、デカバーされた半シンボルを提供するとともに、前記デカバーされた半シンボルをパイロット推定により復調して相関されたシンボルを生成するように動作可能であり、前記デカバー処理は、前記受信信号におけるデータシンボルをカバーするのに使用されるチャネライゼーションシンボルの長さ（２Ｔ）の半分の長さ（Ｔ）をもつチャネライゼーションシンボルで実行される複数の相関器と、
前記複数の相関器に結合された結合器であって、前記結合器は前記複数の相関器の各々から相関されたシンボルを受信し、前記相関されたシンボルを選択的に結合して復調されたシンボルを提供するように動作可能である結合器と、
を具備する復調器。
【請求項２】
各相関器はさらに、前記複数の入力サンプルを受信して、各々の逆拡散系列によって逆拡散して複数の逆拡散サンプルを提供するように動作可能であり、前記デカバー処理は前記複数の逆拡散サンプルに関して前記相関器によって実行される請求項１に記載の復調器。
【請求項３】
前記逆拡散及びデカバー処理は共通のタイミングに基づいて実行される請求項２に記載の復調器。
【請求項４】
前記相関器の１つは、前記受信信号から生成された前記複数の入力サンプルを受信してデカバーしてデカバーされた半シンボルを提供するように動作可能であり、各相関器は前記デカバーされた半シンボルを受信して前記相関器からのパイロット推定によって復調して相関されたシンボルを生成する請求項１に記載の復調器。
【請求項５】
前記受信信号は、２Ｔの長さをもつウォルシュシンボルＷＳＴＳ デカバーされたデータシンボルと、２Ｔの長さを持つ相補型ウォルシュシンボルＷ￣ＳＴＳによってカバーされたデータシンボルとを含む請求項１に記載の復調器。
６．前記受信信号は、第１のアンテナから送信された第１の信号と、第２のアンテナから送信された第２の信号とを含み、前記復調器は、前記第１の信号の１つまたはそれ以上のインスタンスを処理するために割り当てられた１つまたはそれ以上の相関器と、前記第２の信号の１つまたはそれ以上のインスタンスを処理するために割り当てられた１つまたはそれ以上の相関器とを具備する請求項１に記載の復調器。
【請求項７】
前記デカバーされた半シンボルを復調するために各相関器内で使用されるパイロット推定は、当該相関器によって処理されている信号インスタンスに基づいて生成される請求項１に記載の復調器。
【請求項８】
前記受信信号は、ＣＤＭＡ−２０００標準またはＷ−ＣＤＭＡ標準に適合する請求項１に記載の復調器。
【請求項９】
通信システムにおける受信信号を処理するための復調器であって、前記復調器は、
複数の相関器であって、各相関器は、前記受信信号から生成された複数の入力サンプルを受信し、復調して第１及び第２シンボルストリームを提供するように動作可能であり、各相関器は、
前記複数の入力サンプルを受信してデカバーし、対のデカバーされた半シンボルを提供するように動作可能なデカバー要素であって、前記デカバー処理は、前記受信信号におけるデータシンボルをカバーするのに使用されるウォルシュシンボルＷＳＴＳ の長さ（２Ｔ）の半分の長さ（Ｔ）をもつウォルシュシンボルＷによって実行され、一対のデカバーされた半シンボルは、２Ｔの各ウォルシュシンボル周期に対して提供されるデカバー要素と、
前記デカバー要素に動作可能に結合された第１及び第２加算器であって、各加算器は、特定の方法において各対のデカバーされた半シンボルを合成して各デカバーされたシンボルを提供するように動作可能である第１及び第２加算器と、
前記第１及び第２加算器にそれぞれ結合された第１及び第２乗算器であって、各乗算器は、前記各加算器からのデカバーされたシンボルを各パイロットによって復調して、第１及び第２のシンボルストリームを提供する第１及び第２乗算器と、
前記複数の相関器に結合された結合器であって、前記結合器は、前記複数の相関器の各々の、前記第１及び第２乗算器からの前記第１及び第２シンボルストリームをそれぞれ受信して、前記複数の相関器からの前記第１シンボルストリームを合成して第１出力シンボルストリームを提供し、前記複数の相関器からの前記第２のシンボルストリームを合成して第２出力シンボルストリームを提供するように動作可能である合成器と、
を含む復調器。
【請求項１０】
各相関器はさらに、前記複数の入力サンプルを受信して特定の逆拡散系列で逆拡散し、複数の逆拡散サンプルを提供するように動作である逆拡散器を含み、
前記デカバー要素は、前記逆拡散器に結合され、前記複数の逆拡散サンプルを受信してデカバーする請求項９に記載の復調器。
【請求項１１】
各相関器はさらに、前記デカバー要素に結合されたスイッチを含み、このスイッチは、前記対のデカバーされた半シンボルを受信し、
２Ｔの前記ウォルシュシンボル周期の最初の半分に対応するデカバーされた半シンボルを第１出力に供給し、
２Ｔの前記ウォルシュシンボルの最後の半分に対応するデカバーされた半シンボルを第２出力に供給するものであり、
前記第１及び第２加算器は、前記スイッチの第１及び第２出力にそれぞれ動作可能に結合されている請求項９に記載の復調器。
【請求項１２】
各相関器はさらに、前記スイッチの第１出力と前記第１加算器に結合された遅延要素を含む請求項１１に記載の復調器。
【請求項１３】
通信システムにおける受信信号を処理するための復調器であって、前記復調器は、
複数の相関器であって、各相関器は、前記受信信号から生成された複数の入力サンプルを受信し、復調して第１及び第２シンボルストリームを提供し、各相関器は、
前記複数の入力サンプルを受信しデカバーして対のデカバーされた半シンボルを提供するように動作するデカバー要素であって、前記デカバー処理は、前記受信信号におけるデータサンプルをカバーするのに使用されるウォルシュシンボルＷＳＴＳ の長さ（２Ｔ）の半分の長さ（Ｔ）をもつウォルシュシンボルＷで実行され、デカバーされた半シンボルの一対が２Ｔの各ウォルシュシンボル周期に対して提供されるデカバー要素と、
前記デカバー要素に結合され、前記デカバーされた半シンボルを前記相関器によって回復されたパイロットによって復調して復調された半シンボルを提供するように動作可能である乗算器と、
前記乗算器に結合され、第１シンボルストリームにおける２Ｔの各ウォルシュシンボル周期に対してデカバーされた半シンボルの第１組み合わせを提供するとともに、第２シンボルストリームにおける２Ｔの各ウォルシュシンボル周期に対してデカバーされた半シンボルの第２組み合わせを提供するスイッチと、を含む複数の相関器と、
前記複数の相関器に結合された合成器であって、前記複数の相関器の各々からの第１及び第２シンボルストリームを受信し、前記複数の相関器からの第１シンボルストリームを合成して第１出力シンボルストリームを提供し、前記複数の相関器からの第２シンボルストリームを合成して第２出力シンボルストリームを提供するように動作可能である合成器と、
を具備する復調器。
【請求項１４】
各相関器はさらに、
前記複数の入力サンプルを受信して特定の逆拡散系列によって逆拡散して複数の逆拡散サンプルを提供するように動作可能な逆拡散器を含み、
前記デカバー要素は、前記逆拡散器に結合され、前記複数の逆拡散サンプルを受信してデカバーする請求項１３に記載の復調器。
【請求項１５】
各相関器における前記乗算器は、前記デカバーされた半シンボルと前記パイロット間の内積を実行してドットシンボルを提供するとともに、前記デカバーされた半シンボルと前記パイロット間の外積を実行してクロスシンボルを提供するように動作可能であり、
前記合成器は、２Ｔの各ウォルシュシンボル周期に対するドットシンボルとクロスシンボルとを選択的に組み合わせて、前記第１及び第２出力シンボルストリームに対して復調されたシンボルを提供するように動作可能である請求項１３に記載の復調器。
【請求項１６】
通信システムにおける受信信号を処理するための相関器であって、
前記受信信号から生成された複数の入力サンプルを受信し、デカバーして対のデカバーされた半シンボルを提供するように動作可能であるデカバー要素であって、前記デカバー処理は、前記受信信号におけるデータシンボルをカバーするために使用されるチャネライゼーションシンボルの長さ（２Ｔ）の半分の長さ（Ｔ）をもつチャネライゼーションシンボルによって実行され、一対のデカバーされた半シンボルは２Ｔの各チャネライゼーションシンボル周期に対して提供されるデカバー要素と、
前記デカバー要素に動作可能に結合された１つまたはそれ以上の乗算器であって、各乗算器は、デカバーされた半シンボルを各パイロットにより復調して相関されたシンボルを提供する１つまたはそれ以上の乗算器と、
を具備する相関器。
【請求項１７】
前記複数の入力サンプルを受信し逆拡散系列によって逆拡散して複数の逆拡散サンプルを提供するように動作可能である逆拡散器をさらに具備し、
前記デカバー要素は、前記逆拡散器に結合されて前記複数の逆拡散サンプルを受信してデカバーするように動作可能である請求項１６に記載の相関器。
【請求項１８】
通信システムにおける受信信号を処理するための相関器であって、
前記複数の入力サンプルを受信し、逆拡散系列によって逆拡散して複数の逆拡散サンプルを提供するように動作可能である逆拡散器と、
前記逆拡散器に結合され、複数の逆拡散サンプルをデカバーして対のデカバーされた半シンボルを提供するように動作可能であるデカバー要素であって、前記デカバー処理は、前記受信信号におけるデータシンボルをカバーするのに使用されるウォルシュシンボルＷＳＴＳ 及びＷ￣ＳＴＳ の長さ（２Ｔ）の半分の長さ（Ｔ）をもつウォルシュシンボルＷによって実行され、１対のデカバーされた半シンボルは２Ｔの各ウォルシュシンボル周期に対して提供されるデカバー要素と、
前記デカバー要素に動作可能に結合され、デカバーされた半シンボルを受信し、パイロットによって復調して相関されたシンボルを提供するように動作可能である乗算器と、
を具備する相関器。
【請求項１９】
ワイヤレス通信システムにおける受信器ユニットであって、
受信信号を処理して複数のサンプルを提供するように動作可能である受信器と、
前記受信器に結合され、前記複数のサンプルを受信し、復調して復調されたシンボルを提供するように動作可能である復調器と、
を具備し、
前記復調器は、
複数の相関器であって、各相関器は前記複数のサンプルを受信してデカバーし、デカバーされたシンボルまたは半シンボルを提供し、デカバーされたシンボルまたは半シンボルを各パイロットにより復調して相関されたシンボルを生成するように動作可能であり、前記デカバー処理は、前記受信信号におけるデータシンボルをカバーするために使用されるウォルシュシンボルＷＳＴＳ の長さ（２Ｔ）の半分の長さ（Ｔ）をもつウォルシュシンボルＷによって実行される複数の相関器と、
前記複数の相関器に結合され、前記複数の相関器の各々からの相関されたシンボルを受信し、前記相関されたシンボルを選択的に組み合わせて前記復調されたシンボルを提供するように動作可能である合成器と、
を含む受信器ユニット。
【請求項２０】
各相関器はさらに、前記複数のサンプルを特定の逆拡散系列によって逆拡散して逆拡散されたサンプルを生成するように動作可能であり、前記逆拡散処理は前記複数の逆拡散されたサンプルに関して実行される請求項１９に記載の受信器ユニット。
【請求項２１】
各相関器はさらに、第１シンボルストリームにおける２Ｔの各ウォルシュシンボル周期に対するデカバーされた半シンボルの第１組み合わせを提供するとともに、第２シンボルストリームにおける２Ｔの各ウォルシュシンボルストリーム周期に対するデカバーされた半シンボルの第２組み合わせを提供するように動作可能である請求項１９に記載の受信器ユニット。
【請求項２２】
ワイヤレス通信システムにおける受信信号を処理するための方法であって、
前記受信信号からの複数の入力サンプルを生成することと、
特定の受信信号インスタンスに対する前記複数の入力サンプルをデカバーしてデカバーされた半シンボルを生成することであって、前記デカバー処理は、前記受信信号におけるデータシンボルをカバーするのに使用されるチャネライゼーションシンボルの長さ（２Ｔ）の半分の長さ（Ｔ）をもつチャネライゼーションシンボルによって実行されることと、
前記デカバーされた半シンボルをパイロット推定によって復調して、相関されたシンボルを生成することと、
１つまたはそれ以上の信号インスタンスに関連する相関されたシンボルを選択的に組み合わせて復調されたシンボルを提供することと、
を具備する方法。
【請求項２３】
前記複数の入力サンプルを処理されている信号インスタンスに関連した逆拡散系列によって逆拡散して、前記信号インスタンスに対する複数の逆拡散されたサンプルを生成することをさらに具備し、
前記デカバー処理は、前記複数の逆拡散されたサンプルに関して実行されて前記デカバーされた半シンボルを生成することと、
を具備する請求項２２に記載の方法。
【請求項２４】
前記復調処理は、
前記デカバーされた半シンボルと前記パイロット間で内積を実行してドットシンボルを提供することと、
前記デカバーされた半シンボルと前記パイロット推定間で外積を実行してクロスシンボルを提供することとを含み、
２Ｔの各チャネライゼーションシンボル周期に対するドットシンボルとクロスシンボルは選択的に組み合わされて前記復調されたシンボルを提供する請求項２２に記載の方法。
【請求項２５】
ワイヤレス通信システムにおける受信信号を処理するための方法であって、前記受信信号は、第１アンテナから送信された第１信号と、第２アンテナから送信された第２信号とを含み、
前記受信信号からの複数の入力サンプルを生成することと、
前記第１及び第２信号の各々の少なくとも１つの信号インスタンスを処理して、各処理された信号インスタンスに対する相関されたシンボルを提供することとを具備し、
各信号インスタンスに対する処理は、
前記複数の入力サンプルを前記信号インスタンスに関連した特定の逆拡散系列によって逆拡散し、複数の逆拡散されたサンプルを提供することと、
前記複数の逆拡散されたサンプルをデカバーし、デカバーされた半シンボルを生成することであって、前記デカバー処理は、前記受信信号におけるデータシンボルをカバーするのに使用されるウォルシュシンボルＷＳＴＳ の長さ（２Ｔ）の半分の長さ（Ｔ）をもつウォルシュシンボルＷによって実行されることと、
前記デカバーされた半シンボルをパイロット推定によって復調して前記信号インスタンスに対する前記相関されたシンボルを生成することであって、前記パイロット推定は、処理されている信号インスタンスから引き出されることと、
処理されている信号インスタンスに対する相関されたシンボルを選択的に組み合わせて復調されたシンボルを提供することと、
を含む方法。
【発明の詳細な説明】
【０００１】
発明の背景
１．本発明の分野
本発明はデータ通信に関するものである。より詳細には、本発明は、ダイバーシティモードにおいて処理及び送信された信号を効率良く復調するための方法及び装置に関する。
【０００２】
２．関連技術の記述
一般的なデジタル通信システムにおいて、送信ユニットでは、データは処理され、変調され、そして調節されて変調された信号が生成され、１つまたはそれ以上の受信器ユニットに送信される。データ処理は、例えば、当該データを特定のフレームフォーマットにフォーマットし、受信器ユニットでエラー検出及び／又は訂正を行うためにこのフォーマットされたデータを符号化し、符号化されたデータをチャネル割り当て（ｃｈａｎｎｅｌｉｚｅ）（すなわちカバー（ｃｏｖｅｒ））して、チャネライズドデータをシステム帯域に渡って拡散することを含む。データ処理は概して実装されるシステムまたは標準によって規定される。
【０００３】
受信器ユニットで、送信された信号が受信され、調整され、復調され、そしてデジタル的に処理されて送信されたデータが回復される。受信器ユニットでの処理は、送信器ユニットで実行されるものと相補関係にあり、例えば、受信されたサンプルを逆拡散し、逆拡散されたサンプルをデカバー（ｄｅｃｏｖｅｒ）してデカバーされたシンボルを生成し、デカバーされたシンボルを復号することを含む。
【０００４】
いくつかの通信システムにおいて、データは処理されて冗長性をもたせて２つ（またはそれ以上）のアンテナを介して送信されることにより送信ダイバーシティが提供される。処理は例えば、特殊なチャネライゼーションコード（例えばウォルシュシンボル）によって各アンテナに対するデータをカバーする。いくつかのアンテナにおいて、１つまたはそれ以上のアンテナに対するデータは、チャネラリゼーションに先立って再配列される。マルチパス及び他の現象により送信された信号は異なるパス状態に遭遇し、受信器ユニットには異なる時間で到着する。送信アンテナが十分離して配置されるならば、アンテナからの受信信号は、別個にフェード（ｆａｄｅ）する。各送信された信号は、複数の信号パスを介して受信器ユニットに到着する。受信器ユニットは次に、各送信された信号の１つまたはそれ以上のインスタンスを受信、追跡、そして処理し、処理された信号インスタンスからの結果を組み合わせて送信されたデータを回復する。ダウンリンクに関して、当該処理は概して、データとともに送信されたパイロットを追跡し、回復されたパイロットを使用してデータサンプルを復調することを含む。
【０００５】
複数の送信された信号と、そのような信号の複数のインスタンスを処理するための信号処理（例えば復調）は複雑化する。さらに、送信ダイバーシティは概してダウンリンクに関して提供され、ユーザ端末は、そのようなモードを支持することが要求される。ユーザ端末は概して、複雑さとコストの観点からより影響を受ける。したがって、ダイバーシティモードで処理された信号を効率よく復調するために使用される技術がぜひとも必要とされる。
【０００６】
本発明の要約
本発明は、復調器アーキテクチャ、復調器、そして送信ダイバーシティモードで処理され、送信された信号を処理するための受信器ユニットを提供する。送信ダイバーシティモードで動作するときに、データシンボルは概して、非送信ダイバーシティモードでおいて前記データシンボルをカバーするのに使用されるチャネライゼーションコードの長さ（Ｔ）の２倍の長さ（２Ｔ）をもつチャネライゼーションコード（例えばウォルシュシンボル）デカバーされる。本発明の復調器アーキテクチャはこの性質を利用して、２Ｔのチャネライゼーションシンボル周期の各々の一部に関して部分的な処理（例えば、逆拡散、デカバー処理、パイロット復調、またはそれらの組み合わせ）を実行する。処理された“部分シンボル”は次に、復調されたシンボルを生成するために適宜組み合わされる。２Ｔのシンボル周期の各一部（例えば各１／２）に関して部分的な処理を実行することによって、計算上の複雑さとコストが低減するとともに、パフォーマンスが改善される。例えば、本発明によれば、各割り当てられた相関器（例えばフインガ）は相関器により生成されたパイロット推定のみに基づいて実行されるが、従来の技術は複数の相関器からのパイロットを必要とする。以下に他の利点について説明する。
【０００７】
本発明の一実施形態は、ワイヤレス通信システムにおいて受信された信号を処理するための復調器を提供する。復調器は、合成器に結合された多数の相関器を含む。各相関器は概して、入力サンプルを受信して各逆拡散系列により逆拡散して逆拡散されたサンプルを提供する。入力サンプルは受信された信号から生成される。次に各相関器は、逆拡散されたサンプルをデカバーしてデカバーされた“部分的シンボル”を提供し、さらにパイロット推定によりデカバーされた部分的シンボルを復調して相関されたシンボルを生成する。デカバー処理は、前記受信信号におけるデータシンボルをカバーするのに使用されるチャネライゼーションシンボルの長さ２Ｔの一部（例えば１／２）である長さ（例えばＴ）をもつチャネライゼーションシンボル（例えばウォルシュシンボル）により実行される。合成器は、復調されたシンボルを提供するために、割り当てられた相関器から相関されたシンボルを受信して選択的に合成する。
【０００８】
（以下に示される）ＣＤＭＡ−２０００またはＷ−ＣＤＭＡ標準の送信ダイバーシティモードにおいて、受信された信号は、一対のアンテナから送信された一対の信号を含む。次に、各送信された信号の１つまたはそれ以上のインスタンスを処理するために１つまたはそれ以上の相関器が割り当てられる。各割り当てられた相関器は、処理されている信号インスタンスに対応するパイロット推定を回復するために受信された信号を処理する。次にデカバーされた部分的シンボルを復調するためにパイロット推定が割り当てられた相関器内で使用される。
【０００９】
本発明の特定された実施形態によれば、合成器に結合された多数の相関器を含む復調器を提供する。各相関器は概して逆拡散器、デカバー要素、複素乗算器、そして直列に結合されたスイッチを含む。逆拡散器は、入力サンプルを受信して特定の逆拡散系列により逆拡散して逆拡散サンプルを提供し、デカバー要素は、逆拡散されたサンプルをデカバーして複数対のデカバーされた半シンボルを提供する。デカバー処理は、受信された信号においてデータをカバーするのに使用されるウォルシュシンボルＷＳＴＳ の長さ（２Ｔ）の１／２である長さ（Ｔ）をもつウォルシュシンボルＷにより実行される。（空間−時間拡散（ＳＴＳ）は、ＣＤＭＡ−２０００標準によって規定される送信ダイバーシティモードである。）デカバーされた半シンボルの一対は、２Ｔの各ウォルシュシンボル周期に対して提供される。次に、複素乗算器は、復調された半シンボルを提供するために、相関器によって回復されたパイロットによってデカバーされた半シンボルを復調する。
【００１０】
スイッチは、第１（例えば偶数）シンボルストリームにおける２Ｔの各ウォルシュシンボル周期に対するデカバーされた半シンボルの第１の組み合わせと、第２（例えば奇数）シンボルストリームにおける２Ｔの各ウォルシュシンボル周期に対するデカバーされた半シンボルの第２の組み合わせとを提供する。合成器は、相関器からの第１シンボルストリームを合成して、第１（偶数）出力シンボルストリームを提供し、さらに、相関器からの第２シンボルストリームを合成して、第２（奇数）出力シンボルストリームを提供する。
【００１１】
この特定の実施形態の一設計において、各相関器における乗算器は、デカバーされた半シンボルとパイロット間で内積（ドット積）と外積（クロス積）とを実行して、それぞれ、“ドット”シンボルと、“クロス”シンボルとを提供する。次に、合成器は、２Ｔの各ウォルシュシンボル周期に対するドット及びクロスシンボルを選択的に合成して、第１及び第２出力シンボルストリームに対する復調されたシンボルを提供する。
【００１２】
本発明の他の特定の実施形態は、合成器に結合された多数の相関器を含む復調器を提供する。各相関器は概して、逆拡散器、デカバー要素、第１及び第２加算器、そして、第１及び第２複素乗算器を含む。逆拡散器は、入力サンプルを受信して、特定の逆拡散系列により逆拡散し、逆拡散されたサンプルを提供し、デカバー要素は、逆拡散されたサンプルをデカバーして、複数対のデカバーされた半シンボルを提供する。再び、デカバー処理は、受信された信号におけるデータシンボルをカバーするのに使用されるウォルシュシンボルＷＳＴＳ の長さ（２Ｔ）の半分である長さ（Ｔ）をもつウォルシュシンボルＷにより実行され、デカバーされた半シンボルの一対は、２Ｔの各ウォルシュシンボル周期に対して生成される。
【００１３】
各相関器は概してさらに、デカバー要素に結合されたスイッチを含む。スイッチは、２Ｔのウォルシュシンボル周期の最初の半分に対応するデカバーされた半シンボルを第１の出力に提供し、２Ｔのウォルシュシンボル周期の最後の半分に対応するデカバーされた半シンボルを第２の出力に提供する。次に、各加算器は、スイッチの出力に動作可能に結合し、デカバーされたシンボルを提供するために、特定の方法においてデカバーされた半シンボルの各対を合成する。次に、各乗算器は、各加算器からのデカバーされたシンボルを各パイロットにより復調して、各シンボルストリームを提供する。
【００１４】
合成器は、各割り当てられた相関器の、第１及び第２乗算器から第１及び第２シンボルストリームをそれぞれ受信して、すべての割り当てられた相関器からの第１シンボルストリームを合成して第１の出力シンボルストリームを提供し、さらに、すべての割り当てられた相関器からの第２シンボルストリームを合成して第２の出力シンボルストリームを提供する。
【００１５】
本発明の他の実施形態は、ワイヤレス通信システムにおける受信信号を処理するための方法を提供する。受信された信号は、一対のアンテナから送信された一対の信号を含む。本方法に従って、入力サンプルは受信信号から生成される。次に、各送信された信号の少なくとも１つの信号インスタンスは、相関シンボルを提供するために処理される。各信号インスタンスに対する処理は概して、処理されている信号インスタンスに関連した特定の逆拡散系列により入力サンプルを逆拡散して、逆拡散されたサンプルを提供し、逆拡散されたサンプルをデカバーしてデカバーされた部分シンボル（例えば半シンボル）を生成し、デカバーされた部分シンボルをパイロット推定により復調して、信号インスタンスに対する相関されたシンボルを生成する。受信信号におけるデータをカバーするのに使用されるウォルシュシンボルＷＳＴＳ の長さ（２Ｔ）の一部（例えば１／２）である長さ（例えばＴ）をもつウォルシュシンボルＷによりデカバー処理が再度実行される。処理されているすべての信号インスタンスに対する相関されたシンボルは次に、選択的に組み合わされて復調されたシンボルを提供する。
【００１６】
本発明はさらに、他の復調器アーキテクチャ、相関器、復調器、受信器ユニット、そして送信ダイバーシティモードにおいて処理されかつ送信された信号を処理するための方法を提供する。
【００１７】
特定の実施形態の詳細な説明
図１は、本発明が実現される通信システム１００の実施形態の簡略化されたブロック図である。送信器ユニット１１０において、トラフィックデータは概して、フレームまたはパケットの形態でデータ源１１２から、データをフォーマット、符号化、そして処理する送信（ＴＸ）データプロセッサ１１４に送信される。ＴＸデータプロセッサ１１４は概してさらに、シグナリング及びパイロットデータを処理し、処理されたデータは次に、処理されたトラフィックデータと合成（例えば追加または時分割多重）されて、複合データが生成される。変調器（ＭＯＤ）１１６は次に、複合データを受信してチャネル割り当て（すなわちカバー）を行い、拡散することによりシンボルを生成し、その後、アナログ信号へと変換される。アナログ信号は送信器（ＴＭＴＲ）１１８によって、ろ波され、（直交）変調され、増幅され、そしてアップコンバートされて、１つまたはそれ以上の変調された信号が生成され、その後、各アンテナ１２０を介して１つまたはそれ以上の受信器ユニットへと送信される。
【００１８】
受信器ユニット１３０において、送信された信号はアンテナ１３２によって受信されて、受信器（ＲＣＶＲ）１３４に供給される。受信器１３４内で、受信された信号は増幅され、ろ波され、ダウンコンバートされ、直交復調され、デジタル化されて、同相（Ｉ）及び直交（Ｑ）サンプルが提供される。復調器（ＤＥＭＯＤ）１３６は次に、当該サンプルを受信し、逆拡散し、デカバーして、デカバーされたシンボルを生成する。ある種の設計においては、復調器１３６はさらに、デカバーされたシンボルをパイロット推定によって復調して復調されたシンボルを生成する。復調されたシンボルは次に、受信（ＲＸ）データプロセッサ１３８によって復号かつ処理されて送信されたデータが回復される。受信器ユニット１３０での、逆拡散、デカバー処理、復号、そして処理は、送信器ユニット１１０での、拡散、カバー処理、符号化、そして処理と相補うように実行される。回復されたデータは次にデータシンク１４０に供給される。
【００１９】
上記した信号処理は、音声、映像、パケットデータ、メッセージ処理の送信、及び一方向における他のタイプの通信を支持する。双方向の通信システムは、双方向データ送信を支持する。しかしながら、他の方向に対する信号処理は、説明を簡略化するために図１に示される。
【００２０】
通信システム１００は、符号分割多元接続（ＣＤＭＡ）システム、時分割多元接続（ＴＤＭＡ）通信システム（例えば、ＧＳＭシステム）、周波数分割多元接続（ＦＤＭＡ）通信システムまたは、地上リンクを介したユーザ間の音声及びデータ通信を支持する他の多元接続通信システムである。
【００２１】
多元接続通信システムにおけるＣＤＭＡ技術の使用は、“衛星または地上リピータを使用するスペクトラム拡散多元接続通信システム”を名称とする米国特許第４９０１３０７号と、“ＣＤＭＡセルラ電話システムにおける波形を生成するためのシステム及び方法”を名称とする米国特許第５１０３４５９号とに開示されている。他の特定のＣＤＭＡシステムは、“高レートパケットデータ送信のための方法及び装置”を名称とし、１９９７年１１月３日に出願された、米国出願第０８／９６３３８６号に開示されている。これらの特許及び特許出願は、本発明の譲受人に譲渡され、ここに言及により組み込まれている。
【００２２】
ＣＤＭＡシステムは概して、“二重モード広帯域スペクトラム拡散セルラシステムのためのＴＩＡ／ＥＩＡ／ＩＳ−９５−Ａ移動体−基地局両立性標準”（以下ではＩＳ−９５−Ａ標準と呼ぶ）“、“二重モード広帯域スペクトラムセルラ移動局のためのＴＩＡ／ＥＩＡ／ＩＳ−９８推奨最小標準（以下ではＩＳ−９８標準と呼ぶ）”、“第３世代パートナーシッププロジェクト（３ＧＰＰ）”と呼ばれる共同体によって提案され、文書番号３Ｇ　ＴＳ２５．２１１、３Ｇ　ＴＳ　２５．２１３及び３Ｇ　ＴＳ　２５．２１４（以下ではＷ−ＣＤＭＡ標準と呼ぶ）を含む一組の文書において具体化された標準、そして、“ｃｄｍａ２０００スペクトラム拡散システムのためのＴＲ−４５．５物理層標準（以下ではｃｄｍａ２０００標準と呼ばれる）などの、１つまたはそれ以上の標準に適合するように設計されている。新たなＣＤＭＡ標準が引き続き提案されて使用のために採用される。これらのＣＤＭＡ標準はここに言及により組み込まれている。
【００２３】
図２は、ＣＤＭＡ−２０００標準（以下ではＳＴＳモードと呼ぶ）に従った空間−時間拡散送信ダイバーシティモードにおけるダウンリンクデータ送信を処理するのに使用される変調器１１６のブロック図である。ＣＤＭＡ−２０００標準のＳＴＳモードにおいて、送信するべきデータシンボルＹは、デマルチプレクサ（ＤＥＭＵＸ）２０８に供給されて、２つの複素シンボルストリームＹｅｖｅｎとＹｏｄｄ に分離される。これらは変調器２１０ａ及び２１０ｂに供給される。偶数の複素シンボルストリームＹｅｖｅｎは、偶数の同相シンボルストリームＹＩ１及び偶数の直交シンボルストリームＹＱ１とを具備する。同様にして、奇数の複素シンボルストリームＹｏｄｄは、奇数の同相シンボルストリームＹＩ２と、奇数の直交シンボルストリームＹＱ２とを具備する。偶数のシンボルストリームは、“偶数”のインデックス付きデータシンボルを含み、奇数のシンボルストリームは、“奇数”のインデックス付きデータシンボルを含む。各変調器２１０は、偶数及び奇数のシンボルストリームの、チャネライゼーション（すなわちカバー処理）及び拡散を実行し、各アンテナに対して複素出力シンボルストリームＳを提供する。
【００２４】
ＣＤＭＡ−２０００標準の非送信ダイバーシティ（非ＴＤ）モードにおいて、複素データシンボルは、各データシンボルにＴのシグナリング周期をもたせて直列に送信される。ＳＴＳモードにおいて、２つの複素データシンボルは、各データシンボルに２Ｔのシグナリング周期をもたせて２つのアンテナを介して並列に送信される。ＣＤＭＡ−２０００標準によって規定されているように、各変調器２１０内で、複素シンボルストリーム（偶数または奇数）の１つは、２Ｔの長さをもつウォルシュシンボルＷＳＴＳ によりカバーされ、他の複素シンボルストリーム（奇数または偶数）は、２Ｔの長さをもつ
【数１】
2004503982.tif 000003
によりカバーされる。
【００２５】
変調器２１０ａ内において、偶数及び奇数の複素シンボルストリームＹｅｖｅｎ及びＹｏｄｄ は、それぞれシンボル反復器２１２ａ及び２１２ｂに供給される。ＳＴＳモードにおいて、各シンボル反復器２１２は、シグナリング周期をＴから２Ｔに倍加するために、各受信したデータシンボルを一度だけ反復する。シンボル反復器２１２ａ及び２１２ｂからのシンボルストリームは次に、それぞれカバー要素２１４ａ及び２１４ｂに供給される。カバー要素２１４ａ及び２１４ｂはそれぞれ、データ送信のために使用される物理チャネルに関連するチャネライゼーションコードにより、データシンボルをカバーする。ＳＴＳモードにおいて、カバー要素２１４ａに対するチャネライゼーションコードは、２Ｔの長さをもつウォルシュシンボルＷＳＴＳ であり、カバー要素２１４ｂに対するチャネライゼーションコードは、同じ長さ２Ｔをもつ相補的ウォルシュシンボルＷ￣ＳＴＳ である。各カバー要素２１４は、業界で知られた方法によってウォルシュシンボルＷＳＴＳ またはＷ￣ＳＴＳにより各受信されたデータをカバー（すなわち乗算）する。
【００２６】
ＳＴＳモードにおいて、カバー要素２１４ｂからの複素シンボルは、各受信されたシンボルを共役をとる複素共役器２１６ａに供給される。複素共役器２１６ａからの共役がとられたシンボルは次に加算器２１８ａに供給されて、複素カバーされたシンボルを提供するために、カバー要素２１４ａからのシンボルから減算される。このような各複素カバーされたシンボルは、ウォルシュシンボルＷＳＴＳ 及びＷ￣ＳＴＳによりカバーされた一対のデータシンボルを含む。ＳＴＳモードにおける信号処理は、送信された信号におけるダイバーシティを提供し、パフォーマンスの改善に寄与している。
【００２７】
図２に示す一実施形態において、加算器２１８ａからの複素カバーされたシンボルは、位相回転器２２２ａに供給される。一実施形態において、位相回転器２２２ａは、制御信号ＲＯＴＡＴＥによって駆動されるときに受信複素シンボルの（例えば９０度増加）の位相回転を提供する。例えば、受信された複素シンボルをＩｃ ＋ｊＱｃ として表現するならば、位相回転器２２２ａは、複素シンボルの９０度位相回転を提供し、この場合は、−Ｑｃ＋ｊＩｃ として表現される。位相回転は、変調器２１０ａが、送信器１１８内の一連の信号調整回路でのスイッチングまたは調整によるところの、変調された信号の位相ずれの償いをする（すなわち補償する）ことを可能にする。
【００２８】
複素乗算器２２４ａは次に、位相回転器２２２ａからの位相回転された複素シンボルストリーム及び複素拡散系列を受信し、複素シンボルストリームを複素拡散系列により拡散して、複素出力シンボルストリームＳ１ を提供する。複素拡散系列ＰＮは、特定のＣＤＭＡシステムまたは実装される標準によって規定される方法によって生成される。ＣＤＭＡ−２０００システムの場合は、複素拡散系列ＰＮは、送信している基地局に割り当てられた、ショートＰＮ系列ＩＰＮ及びＱＰＮと、データ送信が所望される受信ユーザ端末に割り当てられたロングＰＮ系列とを乗算することによって生成される。
【００２９】
図３は、図２における各複素乗算器２２４を実現するのに使用される複素乗算器３００の図である。複素乗算器３００は、複素拡散出力シンボルＳＩ ＋ｊＳＱ を提供するために、複素データシンボルＤ１ ＋ｊＤＱ と、複素拡散系列ＰＮＩ ＋ｊＰＮＱ との複素乗算を実行する。
【００３０】
複素乗算器３００内で、同位相データシンボルＤＩ は、乗算器３１２ａ及び３１２ｂに供給され、直交データシンボルＤＱ は、乗算器３１２ｃ及び３１２ｄに供給される。乗算器３１２ａ及び３１２ｄの各々は、同相拡散系列ＰＮＩ を受信し、乗算器３１２ｂ及び３１２ｃの各々は、直交拡散系列ＰＮＱ を受信する。各乗算器３１２は、受信されたデータシンボルと、受信された拡散系列とを乗算して、各拡散シンボルを提供する。加算器３１４ａは、乗算器３１２ｃからの出力を受信して、それを乗算器３１２ａからの出力から乗算器３１２ｃから減算して、同相出力シンボルＳＩ を提供する。加算器３１４ｂは、乗算器３１２ｂ及び３１２ｄからの出力を受信して合成し、直交出力シンボルＳＱ を提供する。
【００３１】
図２に戻って、変調器２１０ｂは、３つの違いの他は変調器２１０ａと同様に構成される。第１に、変調器２１０ｂにおいて、相補的ウォルシュシンボルＷ￣ＳＹＳ は、偶数の複素シンボルストリームＹｅｖｅｎをカバーするのに使用され、ウォルシュシンボルＷＳＴＳ は、奇数の複素シンボルストリームＹｏｄｄ をカバーするのに使用される。第２に、複素共役器２１６ｂは、カバー要素２１４ｃ（すなわち、偶数の複素シンボルストリームＹｅｖｅｎ）の出力に結合されている。第３に、加算器２１８ｂの入力に対する符号は、変調器２１０ａにおける加算器２１６ａの入力に対する符号とは異なっている。
【００３２】
変調器１１６によって実行される処理は、以下のごとく記述される。まず、偶数及び奇数複素シンボルストリームは、
Ｙｅｖｅｎ＝ＹＩ１＋ｊＹＱ１　　　　　　　　　　　　　　　式（１）
そして、
Ｙｏｄｄ ＝ＹＩ２＋ｊＹＱ２　　　　　　　　　　　　　　　式（２）
ＣＤＭＡ−２０００標準によって規定されるように、ウォルシュシンボルＷＳＴＳ 及びＷ￣ＳＴＳは、偶数及び奇数の複素シンボルストリームをカバーするために使用される。これらのウォルシュシンボルの各々は２Ｔの長さをもち、長さＴのウォルシュシンボルＷから以下のように生成される。
【００３３】
ＷＳＴＳ ＝ＷＷ、及び　　　　　　　　　　　　　　　　式（３）
Ｗ￣ＳＴＳ＝ＷＷ￣、ここで、Ｗ￣＝−Ｗ
データシンボルとカバー処理のみを考慮するならば（すなわち、ＰＮ拡散、位相回転、送信ゲイン、パルス整形、そして他の信号処理を無視する）、アンテナ１に対する複素出力シンボルストリームは、アンテナ１に対する複素出力シンボルストリームは、
Ｓ１ ＝ＹｅｖｅｎＷＷ−Ｙ＊ ｏｄｄ ＷＷ￣　　　　　　　　　　　　式（４）
ここで、アスタリスク（＊）は、複素共役演算子を意味する。同様にして、アンテナ２に対する複素出力ストリームは、
Ｓ２ ＝Ｙ＊ ｅｖｅｎＷＷ￣＋Ｙｏｄｄ ＷＷ　　　　　　　　　　　　式（５）
複素出力シンボルストリームＳ１ 及びＳ２ は続いて、送信器１１８における２つの各処理パスに供給される。各処理パスは、複素シンボルストリームＳの同相及び直交シンボルストリームＳＩ 及びＳＱ をろ波し、ろ波されたＳＩ ストリームを同相キャリア信号ｃｏｓ（ｗｃ ｔ）で変調し、ろ波されたＳＱ ストリームを直交キャリア信号ｓｉｎ（ｗｃ ｔ）で変調し、２つの変調された成分を加算し、さらに変調された信号を生成するために最終的な信号を調整する。ＳＴＳモードにおいて、２つの変調された信号が２つの複素シンボルストリームＳ１ 及びＳ２ に基づいて生成され、２つのアンテナから送信される。
【００３４】
概して、識別可能な（すなわち直交する）パイロットが各送信アンテナに関して送信される。例えば、ＣＤＭＡ−２０００システムに対して、変調されていないパイロットが（ウォルシュコード０，６４を使用して）共通アンテナに関して送信されるとともに、変調されたダイバーシティパイロットが（ウォルシュコード１６，１２８を使用して）ダイバーシティアンテナに関して送信される。パイロットは、直交するように選択され、これによって、各アンテナから送信された一方または両方の信号の振幅及び位相は回復される。
【００３５】
ＣＤＭＡ−２０００に対するダウンリンク信号処理は、ＣＤＭＡ−２０００標準においてさらに詳細に記述されており、かつ、１９９９年に発行されたＭ．Ｂｕｅｈｒｅｒ ｅｔ ａｌ．による論文（名称：“空間時間拡散（ＳＴＳ）ｖ０．３のための提案された教科書”）に記載されている。この論文は言及によりここに組み込まれている。この論文は、３ＧＰＰ２標準本体によってＣＤＭＡ−２０００標準に採用された。
【００３６】
図４は、ＣＤＭＡ−２０００標準のＳＴＳモードにおいて処理されたダウンリンクデータ送信を復調可能な従来の復調アーキテクチャ４００のブロック図である。ＳＴＳモードにおいて、受信信号は、２つの送信アンテナから送信された２つの変調された信号を含む。各送信アンテナからの信号は概して、送信アンテナの空間分離により異なるパス条件を受けるので、特別なパス条件によって歪められた受信器ユニットに到着する。受信器ユニットでは、２つまたはそれ以上の相関器（すなわちフィンガ）が２つの送信信号を受信して復調するのに使用される。相関器からの復調されたシンボルは次に、送信されたシンボルを回復するために合成される。
【００３７】
まず、受信信号が調整（例えば、増幅、ろ波、ダウンコンバート、直交復調など）された後、同相サンプルＩＩＮ及び直交サンプルＱＩＮからなる複素サンプルストリームを提供するためにデジタル化される。複素サンプルストリームは、受信信号を処理するために割り当てられた各相関器に供給される。各相関器は、送信アンテナの１つからの信号の各インスタンス（すなわち、特定のマルチパス）を受信し、追跡し、そして処理する。
【００３８】
図４に示すように、相関器４１０ａは、第１送信アンテナからの信号を受信して処理するように割り当てられ、相関器４１０ｂは、第２送信アンテナからの信号を受信して処理するように割り当てられる。相関器４１０ａ内で、複素受信サンプル（すなわち、ＩＩＮ＋ｊＱＩＮ）は、相関器４１０ａに割り当てられた特定の時間オフセットをもち、処理されている信号インスタンスの時間遅延に適合する複素逆拡散系列ＰＮ１ （すなわち、ＰＮ１＝ＰＮＩ１＋ｊＰＮＱ１）を受信する複素乗算器４１２ａに供給される。複素乗算器４１２ａは、複素サンプルをＰＮ１ で逆拡散し、複素逆拡散サンプル（すなわちＩＤ１＋ｊＱＤ１）をデカバー要素４１４ａに供給する。デカバー要素４１４ａは、複素受信サンプルをウォルシュシンボルＷＳＴＳ でデカバーし、複素デカバーされたシンボルを複素乗算器４２０ａ及び４２０ｂの各々に供給する。デカバー処理は、同相（及び直交）デカバーされたシンボルを提供するために、同相（及び直交）サンプルをウォルシュシンボルＷＳＴＳ で乗算し、その結果をウォルシュシンボルＷＳＴＳ の長さ（２Ｔ）に渡って蓄積することによって達成される。
【００３９】
複素乗算器４２０ａは次に、複素デカバーされたシンボルを、相関器４１０ａによって回復された、（第１送信アンテナから送信されたパイロットから推定された）
【数２】
2004503982.tif 000004
によって復調する。同様にして、複素乗算器４２０ｂは、複素乗算器４２０ｂは、複素デカバーされたシンボルを、相関器４１０ｂによって回復された、（第２送信アンテナから送信されたパイロットから推定された）共役複素パイロットｈ＾＊ ２ によって複素デカバーされたシンボルを復調する。複素乗算器４２０ａからの出力は、合成器４４０内の蓄積器４４２ａに供給される偶数の複素シンボルストリームＣ１ ｅｖｅｎからなる。同様にして、複素乗算器４２０ｂからの出力は、合成器４４０内の蓄積器４４２ｂに供給される偶数の複素シンボルストリームＣ１ ｏｄｄ からなる。
【００４０】
相関器４１０ｂ内で、複素受信サンプル（すなわち、ＩＩＮ＋ｊＱＩＮ）は、相関器４１０ｂに割り当てられた特別の時間オフセットをもつ複素逆拡散系列ＰＮ２ （すなわち、ＰＮ２ ＝ＰＮＩ２＋ｊＰＮＱ２）を用いて複素乗算器４１２ｂにより逆拡散される。複素逆拡散サンプル（すなわち、ＰＮ２ ＝ＰＮＤ２＋ｊＰＮＤ２）は、相補的ウォルシュシンボルＷ￣ＳＴＳ によってデカバー要素４１４ｂによってデカバーされ、複素共役器４１６によって共役がとられる。共役がとられたシンボルは次に、複素乗算器４２０ｃによって複素パイロットｈ＾２により復調され、さらに複素乗算器４２０ｄによって負の複素パイロット−ｈ＾１ により復調される。複素乗算器４２０ｃからの出力は、蓄積器４４２ａに供給される偶数の複素シンボルストリームＣ２ ｅｖｅｎを具備し、複素乗算器４２０ｄからの出力は、蓄積器４４２ｂに供給される奇数の複素シンボルストリームＣ２ ｏｄｄを具備する。
【００４１】
蓄積器４４２ａは、相関器４１０ａ及び４１０ｂからの、偶数の複素シンボルストリームＣ１ ｅｖｅｎ及びＣ２ ｅｖｅｎを合成し、偶数の出力シンボルストリームＣｅｖｅｎ（すなわち、Ｃｅｖｅｎ＝ＣＩ１＋ｊＱ１）を提供する。同様にして、蓄積器４４２ｂは、相関器４１０ａ及び４１０ｂからの、奇数の複素シンボルストリームＣ１ ｏｄｄ及びＣ２ ｏｄｄを合成し、奇数の出力シンボルストリームＣｏｄｄ（すなわち、Ｃｏｄｄ＝ＣＩ２＋ｊＱ２）を提供する。シンボルストリームＣＩ１、ＣＱ１、ＣＩ２、及びＣＱ２はそれぞれ、図２に示す変調器１１６内で生成され、式（１）及び（２）で表現されたシンボルストリームＹＩ１、ＹＱ１、ＹＩ２、及びＹＱ２の推定である。
【００４２】
復調器アーキテクチャ４００は、１９９９年８月５日に発行された、Ａ．Ｋｏｇｉａｎｔｉｓ ｅｔ ａｌ．による論文（名称：空間時間拡散を介したダウンリンク改善）にさらに詳細に記載されている。この論文はここに言及により組み込まれている。この論文は、ＣＤＭＡ−２０００標準への採用のために３ＧＰＰ２標準団体に提出された。
【００４３】
図４に示す復調器アーキテクチャ４００は、いくつかの重大な欠点を有する。第一は、相関器間の情報の共有は、パイロット復調を実行するのに必要とする。各相関器４１０は、パイロット復調を達成するために２つの複素乗算を実行する。第１の複素乗算は、デカバーされたシンボルと相関器によって推定された複素パイロット間に実行される。第２の複素乗算は，デカバーされたシンボルと、他の相関器によって推定された複素パイロット間で実行される。復調器アーキテクチャ４００は、パイロット推定の代わりにデカバーされたシンボルを共有するために変形される。しかしながら、両方の場合において、相関器間で情報を共有する必要性は、多くの回路設計において非常に望ましいことではない。情報の共有を調整するために付加的な回路が必要となり、これによって、複雑さとコストが増大してしまう。
【００４４】
第二に、送信された信号の１つ以上のマルチパスが処理されるならば、パイロット復調を行うために同じパス遅延で相関器を対にすることが必要となる。この要求は相関器の使用を拘束するとともに相関器間の調整が必要となる。
【００４５】
従って、これらの欠点があるために、システムパフォーマンスは、復調器アーキテクチャ４００の使用によって危うくなってしまう。
【００４６】
図５は、ＣＤＭＡ−２０００標準のＳＴＳモードにおいて処理されたダウンリンクデータ送信を復調することができる、本発明の復調器アーキテクチャ５００の特定の実施形態のブロック図である。まず、受信信号が調整されて、相関器５１０ａ及び５１０ｂの各々に供給される複素サンプルストリームを提供するためにデジタル化される。各相関器５１０は、送信アンテナの１つから送信された信号を受信し、追跡し、復調する。
【００４７】
相関器５１０ａ内で、複素受信サンプル（すなわち、ＩＩＮ＋ｊＱＩＮ）は、相関器５１０ａに割り当てられた特別な時間オフセットをもつ複素逆拡散系列ＰＮ１ を用いて複素乗算器５１２ａによって逆拡散される。複素逆拡散サンプル（すなわちＩＤ１＋ｊＱＤ１）は次に、デカバーされた“半シンボル”を提供するために、Ｔの長さをもつウォルシュシンボルＷを用いてデカバー要素５１４ａによってデカバーされる。デカバー処理は、同相（及び直交）サンプルをウォルシュシンボルＷによって乗算し、その結果をウォルシュシンボルＷの長さ（Ｔ）に渡って蓄積することによって達成される。
【００４８】
図２に戻って、ＳＴＳモードにおいて、各データシンボルは、１ＳＴＳシンボル周期に対応する２Ｔの長さをもつウォルシュシンボルＷＳＴＳ またはＷ￣ＳＴＳによってカバーされる。また、式（３）に関して、ウォルシュシンボルＷＳＴＳ及びＷ￣ＳＴＳは、ウォルシュシンボルＷと相補的ウォルシュシンボルＷ￣とを合成することによって生成される。ウォルシュシンボルＷ及びＷ￣はそれぞれ、ウォルシュシンボルＷＳＴＳ 及びＷ￣ＳＴＳの長さの半分であるＴの長さをもつ。デカバー要素５１４からの各デカバーされた半シンボルはＳＴＳシンボル周期の半分のみに対応する。
【００４９】
デカバー要素５１４ａからの複素デカバーされた半シンボルは、スイッチ５２０ａに供給される。スイッチ５２０ａは、ＳＴＳシンボル周期（位置Ａにおけるスイッチ５２０ａ）の最初の半分に対応するデカバーされた半シンボルを遅延要素５２２ａに提供し、ＳＴＳシンボル周期（位置Ｂにおけるスイッチ５２０ａ）の後の半分に対応するデカバーされた半シンボルを加算器５２４ａ及び５２４ｂに提供する。スイッチ５２０ａは、デマルチプレクサ、レジスタ、ラッチ、あるいは他の要素によって実現可能である。遅延要素５２２ａは、受信した半シンボルを遅延させて遅延された半シンボルを加算器５２４ａ及び５２４ｂに供給する。遅延は、各ＳＴＳシンボル周期に対するデカバーされた半シンボルが、加算器５２４ａ及び５２４ｂの各々の入力で時間的に整列されるように選択される。
【００５０】
２Ｔ（すなわち、ウォルシュシンボルの長さＷＳＴＳ 及びＷ￣ＳＴＳ）の各ＳＴＳシンボル周期に対して、ＳＴＳシンボル周期の最後の半分に対応するデカバーされた半シンボルが受信された後に、加算器５２４ａは、２つの受信半シンボルを加算して、デカバーされたシンボルを複素乗算器５２８ａに供給する。同様にして、各ＳＴＳシンボル周期に対して、加算器５２４ｂは、スイッチ５２０ａから受信した半シンボルを、遅延要素５２２ａから受信した半シンボルから減算して、デカバーされたシンボルを複素共役器５２６ａに供給する。複素共役器５２６ａは、受信シンボルの共役をとり、共役がとられたシンボルを複素乗算器５２８ｂに供給する。
【００５１】
複素乗算器５２８ａは、加算器５２４ａからの複素デカバーされたシンボルを、相関器５１０ａによって回復された共役複素パイロットｈ＾１ ＊ により復調する。同様にして、複素乗算器５２８ｂは、複素共役器５２６ａからの複素デカバーされたシンボルを、否定の複素パイロット−ｈ＾１により復調する。複素乗算器５２８ａからの出力は、合成器５４０内の蓄積器５４２ａに供給される偶数の複素シンボルストリームＣ１ ｅｖｅｎを具備し、複素乗算器５２８ｂからの出力は、合成器５４０内の蓄積器５４２ｂに供給される奇数の複素シンボルストリームＣ１ ｏｄｄ を具備する。
【００５２】
相関器５１０ｂは、相関器５１０ａと同様の処理を実行する。相関器５１０ｂ内で、複素受信サンプル（すなわち、ＩＩＮ＋ｊＱＩＮ）は、相関器５１０ｂに割り当てられた特別な時間オフセットをもつ複素逆拡散系列ＰＮ２ を用いて、複素乗算器５１２ｂによって逆拡散される。複素逆拡散されたサンプルは次に、デカバーされた半シンブルを提供するためにウォルシュシンボルＷを用いてデカバー要素５１４ｂによってデカバーされる。
【００５３】
デカバー要素５１４ｂからの複素デカバーされた半シンボルは、スイッチ５２０ｂに供給される。スイッチ５０２ｂは、ＳＴＳシンボル周期（位置Ａにおけるスイッチ５２０ｂ）の最初の半分に対応するデカバーされた半シンボルを遅延要素５２２ｂに供給し、ＳＴＳシンボル周期（位置Ｂにおけるスイッチ５２０ｂ）の最後の半分に対応するデカバーされた半シンボルを加算器５２４ｃ及び５２４ｄに供給する。遅延要素５２２ｂは、受信した半シンボルを遅延して、遅延した半シンボルを加算器５２４ｃ及び５２４ｄに供給する。再び、遅延は、各ＳＴＳシンボル周期に対するデカバーされた半シンボルが加算器５２４ｃ及び５２４ｄの各々の入力に時間的に整列するように選択される。各ＳＴＳシンボル周期に対して、加算器５２４ｃは、スイッチ５２０ｂから受信した半シンボルを、遅延要素５２２ｂから受信した半シンボルから減算し、デカバーされたシンボルを複素共役器５２６ｂに供給する。複素共役器５２６ｂは、受信シンボルの共役をとり、共役がとられたシンボルを複素乗算器５２８ｃに供給する。各ＳＴＳシンボル周期に対して、加算器５２４ｄは、２つの受信半シンボルを加算してデカバーされたシンボルを複素乗算器５２８ｄに供給する。
【００５４】
複素乗算器５２８ｃは、複素共役器５２６ｂからの複素デカバーされたシンボルを、相関器５１０ｂによって回復された複素パイロットｈ＾２ により復調する。同様にして、複素乗算器５２８ｄは、加算器５２４ｄからの複素デカバーされたシンボルを、共役がとられた複素パイロットｈ＾２ ＊ によって復調する。複素乗算器５２８ｃからの出力は、蓄積器５４２ａに供給される偶数の複素シンボルストリームＣ２ ｅｖｅｎを具備し、複素乗算器５２８ｄからの出力は、蓄積器５４２ｂに供給される奇数の複素シンボルストリームＣ２ ｏｄｄ を具備する。
【００５５】
蓄積器５４２ａは、相関器５１０ａ及び５１０ｂからの偶数の複素シンボルストリームＣ１ ｅｖｅｎ及びＣ２ ｅｖｅｎを合成し、偶数の出力シンボルストリームＣｅｖｅｎ（すなわち、Ｃｅｖｅｎ＝ＣＩ１＋ｊＣＱ１）を提供する。同様にして、蓄積器５４２ｂは、相関器５１０ａ及び５１０ｂからの奇数の複素シンボルストリームＣ１ ｏｄｄ及びＣ２ ｏｄｄを合成し、奇数の出力シンボルストリームＣｏｄｄ（すなわち、Ｃｏｄｄ＝ＣＩ２＋ｊＣＱ２）を提供する。シンボルストリームＣＩ１、ＣＱ１、ＣＩ２、ＣＱ２はそれぞれ、図２に示す変調器１１６内で生成されたシンボルストリームＹＩ１、ＹＱ１、ＹＩ２、ＹＱ２の推定である。
【００５６】
復調器アーキテクチャ５００によって実行される処理はまず、送信されたシンボルストリームを特徴付けることによって解析される。ＳＴＳモードにおける、送信されたシンボルストリームＳ１ 及びＳ２ は、上記の式（４）及び（５）において表現される。長さ２ＴのウォルシュシンボルＷＳＴＳ及びＷ￣ＳＴＳ はそれぞれ、長さＴのウォルシュシンボルＷ及びＷ￣の組み合わせに分解される。送信されたシンボルは、ＳＴＳシンボル周期の第１時間間隔Ｔ１ に渡って送信される半シンボルと、ＳＴＳシンボル周期の第２時間間隔Ｔ２ に渡って送信される半シンボルとの組み合わせに分解される。
【００５７】
式（４）における第１アンテナに対する送信されたシンボルは、
【数３】
2004503982.tif 000005
として表現される。
【００５８】
同様にして、式（５）における第２アンテナに対する送信されたシンボルは、
【数４】
2004503982.tif 000006
として表現される。
【００５９】
第１及び第２送信アンテナからの信号は、それそれ、複素値ｈ１ 及びｈ２ によって与えられるランダムな振幅及び位相で受信される。値ｈ１ 及びｈ２は、送信される信号が被るパス損失及びマルチパスフェージングを特徴付けるものである。雑音を無視するならば、複合受信信号は、
【数５】
2004503982.tif 000007
として表現される。ここで、ＲＴ１及びＲＴ２は、ＳＴＳシンボル周期の、それぞれ第１及び第２時間間隔Ｔ１ 及びＴ２ に対する受信シンボル波形を表わす。相関器５１０ａ及び５１０ｂからの偶数の複素シンボルストリームＣ１ ｅｖｅｎ及びＣ２ ｅｖｅｎはそれぞれ、以下のように計算される。
【００６０】
【数６】
2004503982.tif 000008
ここで、〈ＲＴ１，Ｗ〉は、ウォルシュシンボルＷによって第１相関器によるシンボル波形のデカバー処理を表わし、２Ｎは、（チップで表わした）ウォルシュシンボルＷＳＴＳ 及びＷ￣ＳＴＳの長さを表わし、（ＡＢ）＊ ＝Ａ＊Ｂ＊である。同様にして、相関器５１０ａ及び５１０ｂからの奇数の複素シンボルストリームＣ１ ｏｄｄ及びＣ２ ｏｄｄは以下のように計算される。
【００６１】
【数７】
2004503982.tif 000009
合成器５４２ａからの偶数の複素シンボルストリームＣｅｖｅｎ及び合成器５４２ｂからの奇数の複素シンボルストリームＣｏｄｄは、以下のように表現される。
【００６２】
【数８】
2004503982.tif 000010
式（１３）及び（１４）の各々において、第１項は所望の信号成分であり、第２項はクロストークによる不要な成分である。パイロット推定が正確（すなわち、ｈ＾１ ＝ｈ１ かつｈ＾２ ＝ｈ２）であるならば、式（１３）及び式（１４）は、以下のように簡単な式になる。
【００６３】
【数９】
2004503982.tif 000011
復調器アーキテクチャ５００は、１つの送信アンテナが動作することに心配した場合、あるいはアンテナの１つから送信された信号が深いフェード（ｆａｄｅ）を受けた場合でも、送信されたシンボルを回復することができる。例として、第２送信アンテナが故障した場合、受信されたシンボルストリームは以下のように表現される。
【００６４】
【数１０】
2004503982.tif 000012
受信器ユニットで、送信された信号を受信して処理するために１つの相関器が使用される。割り当てられた相関器からの偶数及び奇数の複素シンボルストリームＣｅｖｅｎ及びＣｏｄｄ は以下のように表わされる。
【００６５】
【数１１】
2004503982.tif 000013
パイロット推定が正確（すなわち、ｈ＾１ ＝ｈ１ ならば）、式（１８）及び（１９）は以下のようになる。
【００６６】
【数１２】
2004503982.tif 000014
図５に示す復調器アーキテクチャ５００は、図４に示す復調器アーキテクチャ４００と比較して、数多くの利点を提供する。これらの利点は、簡略化された設計、低減されたコスト、改善されたパフォーマンス、他の利点、あるいはそれらの組み合わせである。これらの利点のいくつかについて以下に説明する。
【００６７】
第一に、復調器アーキテクチャ５００は、パイロット推定の共有及び相関器間のデータシンボルを必要としない。各相関器は、受信サンプルストリームを受信し、処理し、そして自身のパイロット推定で復調する。相関器に対する自立的な設計は相関器間で情報を交換する必要性をなくし、復調器アーキテクチャ５００を使用する受信器ユニットの設計を簡略化する。
【００６８】
第二に、復調器アーキテクチャ５００では、相関器を対にする必要がない。このことは、相関器を最強の信号インスタンスに割り当てる上での柔軟性を可能にし、改善されたパフォーマンスにつながる。
【００６９】
第三に、復調器アーキテクチャ５００では、不均一なパス遅延をもつ対の相関器のパイロット間の同期をとることを必要としない。この特徴は、受信サンプル及び自身のパイロット推定に基づいて各相関器が独立して動作できることによるものである。これとは対照的に、相関器は復調器アーキテクチャ４００において対で動作するので、パイロットは、対の相関器によって処理されている信号インスタンス間の遅延を補償するために時間を正確に合わせる必要がある。
【００７０】
第四に、復調器アーキテクチャ５００は、送信アンテナの１つが動作しないとき、または深いフェードにあるとき、送信シンボルを受信することを可能にする。これとは対照的に、復調器アーキテクチャ４００は、１つの送信アンテナが失敗したときに送信シンボルの半分のみを回復できる。復調器アーキテクチャ５００は、より強固でかつ信頼性のある通信を提供するのに使用できる。
【００７１】
図６は、本発明の復調器アーキテクチャ６００の他の特定された実施形態のブロック図であり、ＣＤＭＡ−２０００標準のＳＴＳモードにおいて処理されたダウンリンクデータ送信を復調可能である。複素サンプルストリームは相関器６１０ａ及び６１０ｂに供給される。各相関器６１０は送信アンテナの１つから送信された信号を受信、追跡そして復調するように動作する。
【００７２】
相関器６１０ａ内で、複素受信サンプルは、逆拡散系列ＰＮ１ で複素乗算器６１２ａによって逆拡散され、ウォルシュシンボルＷによってデカバー要素６１４ａによって逆拡散されてデカバーされた半シンボルを提供する。デカバーされた半シンボルは次に復調された半シンボルを提供するために、相関器６１０ａによって回復された共役複素パイロットｈ＾１ ＊ により復調される。この半シンボルはスイッチ６２０ａに供給される。ＳＴＳシンボル周期の最初の半分においてスイッチ６２０ａは位置Ａにあり、復調された半シンボルは、信号パス６２２ａに供給され、反転された復調された半シンボルは、信号パス６２２ｂに供給される。ＳＴＳシンボル周期の最後の半分においてスイッチ６２０ａは位置Ｂにあり、復調された半シンボルは信号パス６２２ａ及び６２２ｂに供給される。スイッチ６２０ａはデマルチプレクサまたは他の要素によって実現できる。
【００７３】
信号パス６２２ａに関する復調された半シンボルは、合成器６４０内の蓄積器６４２ａに供給される。信号パス６２２ｂに関する復調された半シンボルは、複素共役器６２６ａに供給される。複素共役器６２６ａは、受信した半シンボルの共役をとり、共役がとられた半シンボルを合成器６４０内の蓄積器６４２ｂに供給する。
【００７４】
相関器６１０ｂは、相関器６１０ａの場合と同じ方法によって複素受信サンプルを処理する。特に、相関器６１０ｂは複素受信サンプルを逆拡散系列ＰＮ２ によって逆拡散し、逆拡散されたサンプルをウォルシュシンボルＷによってデカバーしてデカバーされた半シンボルを提供し、デカバーされた半シンボルを、相関器６１０ｂによって回復され、共役がとられた複素パイロットｈ＾２ ＊ によって復調して復調された半シンボルを提供する。ＳＴＳシンボルの最初の半分に対応する復調された半シンボルは蓄積器６４２ｂに供給されて共役され、蓄積器６４２ａに供給される。同様にして、ＳＴＳシンボル周期の最後の半分に対応する復調された半シンボルは蓄積器６４２ｂに供給されて反転され、共役がとられて蓄積器６４２ａに供給される。
【００７５】
各ＳＴＳシンボル周期に対して、蓄積器６４２ａは４つの受信された復調された半シンボルを合成して偶数の出力シンボルを提供し、蓄積器６４２ｂは奇数の出力シンボルを提供するために４つの受信された復調された半シンボルを合成する。
【００７６】
復調器アーキテクチャ６００は、図５における復調器アーキテクチャ５００と同一の結果を生成する。しかしながら、デカバー処理の後のパイロット復調を実行することによって、ただ１つの複素乗算器が必要となる。複素乗算器６１６は、ＳＴＳシンボル周期（すなわち、Ｔの各周期）の各半分に対して１つの複素乗算（例えば１つの内積と１つの外積）を実行する。これとは対照的に、復調器アーキテクチャ５００における乗算器５２８の各々は、２Ｔの各ＳＴＳシンボル周期に対して１つの複素乗算を実行する。
【００７７】
または、各ＳＴＳシンボル周期に対するデカバーされた半シンボルを合成するのに使用される加算器（すなわち加算器５２４）は復調器アーキテクチャ６００においては不要である。なぜならばこの機能は蓄積器６４２ａ及び６４２ｂによって実行されるからである。各蓄積器６４２は、復調器アーキテクチャ５００における蓄積器５４２と同様に、各ＳＴＳシンボル周期に対して２倍の読み出し−蓄積−書き込み動作を実行する。
【００７８】
図７は、本発明の復調器アーキテクチャ７００のさらに他の特定の実施形態のブロック図であり、ＣＤＭＡ−２０００標準のＳＴＳモードにおいて処理されたダウンリンクデータ送信を復調可能である。複素サンプルストリームは、相関器７１０ａ及び７１０ｂに供給される。各相関器７１０は送信アンテナの１つから送信された信号を受信し、追跡しそして復調するように動作する。
【００７９】
各相関器７１０内で、複素受信サンプルは、デカバーされた半シンボルを提供するためにウォルシュシンボルＷを用いてデカバー要素７１４によってデカバーされた、相関器に割り当てられた特定の時間オフセットをもつ逆拡散系列ＰＮを用いて複素乗算器７１２によって逆拡散され、復調された半シンボルを提供するために相関器によって回復された共役がとられた複素パイロットｈ＾＊ を用いて複素乗算器７１６によって復調される。
【００８０】
相関器７１０ａ内で、スイッチ７２０ａは、ＳＴＳシンボル周期の最初の半分に対応する復調された半シンボルを合成器７４０内の蓄積器７４２ａに供給するとともに、ＳＴＳシンボル周期の最後の半分に対応する復調された半シンボルを合成器７４０内の蓄積器７４２ｂに供給する。同様にして、相関器７１０ｂ内で、スイッチ７２０ｂは、ＳＴＳシンボル周期の最初の半分に対応する復調された半シンボルを蓄積器７４２ｃに供給するとともに、ＳＴＳシンボル周期の最後の半分に対応する復調された半シンボルを蓄積器７４２ｄに供給する。各蓄積器７４２は出力シンボルを手依拠するために受信した半シンボルを選択的に合成する。
【００８１】
図７において、複素乗算器７１６ａ及び７１６ｂはそれぞれ各ＳＴＳシンボル周期に対して２つの複素乗算を実行するように構成される。ＳＴＳシンボル周期の時間間隔Ｔｘに対する相関器ｎからの複素乗算は、以下の式により表現される。
【００８２】
【数１３】
2004503982.tif 000015
ここで、ＸＩ ＋ｊＸＱ は、復調すべき複素デカバーされた半シンボルであり、ＰＩ −ｊＰＱは、共役されたパイロット推定（例えば、ｈ＾＊ ＝Ｐ１ −ｊＰＱ ）であり、Ｃｎ，Ｔｘｄｏｔ 及びＣｎ，Ｔｘｃｒｏｓｓ はそれぞれ複素乗算に対する内積及び外積である。
【００８３】
式（２０）に示すように、各複素乗算は、内積及び外積で実行可能である。各ＳＴＳシンボル周期に対する乗算器７１６ａ及び７１６ｂによって実行された４つの複素乗算は内積及び外積で達成可能であり、それぞれ４つの“ドット”シンボル及び４つの“クロス”シンボルが得られる。ドット及びクロスシンボルは、中間シンボルと呼ばれる。実施形態において、各ＳＴＳシンボル周期に対する８つの中間シンボルは８つのメモリ位置に対して記憶され、シンボルがメモリから取り出されるときに組み合わされる。
【００８４】
蓄積器７４２によって実行されるシンボル組み合わせは以下のごとく計算される。相関器７１０ａにおいて、内積及び外積はそれぞれ、ＳＴＳシンボル周期の最初の半分において中間シンボルＣ１，Ｔ１ｄｏｔ 及びＣ１，Ｔ１ｃｒｏｓｓを生成し、ＳＴＳシンボル周期の最後の半分において中間シンボルＣ２，Ｔ１ｄｏｔ 及びＣ２，Ｔ１ｃｒｏｓｓを生成する。偶数の複素出力シンボルＣｅｖｅｎは以下の式で表現される。
【００８５】
【数１４】
2004503982.tif 000016
同様にして、奇数の複素出力シンボルＣｏｄｄ は以下の式で表現される。
【００８６】
【数１５】
2004503982.tif 000017
計算をさらに簡略化するために、式（２１）及び（２２）は、
【数１６】
2004503982.tif 000018
式（２３）において、丸括弧内の量は各ＳＴＳシンボル周期に対して、内積は一度計算され、外積は一度計算される。各出力シンボル（例えばＣＩ ｅｖｅｎ）に対して、対応する中間シンボル（例えばＣ２，Ｔ２ｄｏｔ ）は、２の因数（ｆａｃｔｏｒ）によって縮小（ｓｃａｌｅ）され（例えば１ビットだけ左にシフトされ）、対応する組み合わせシンボル（例えばＣ１，Ｔ１ｄｏｔ ＋Ｃ１，Ｔ２ｄｏｔ ＋Ｃ２，Ｔ１ｄｏｔ ＋Ｃ２，Ｔ２ｄｏｔ ）から減算される。
【００８７】
図５，６，７は、本発明の３つの特定の実施形態を示す。他の実施形態もまた設計可能であり、本発明の範囲に入っている。概して、本発明の復調器アーキテクチャは、ＳＴＳシンボル周期の一部（例えば１／２、１／４など）について部分的な処理（例えば逆拡散、デカバー処理、パイロット復調、またはそれらの組み合わせ）を実行して処理された“部分シンボル”を生成する。処理された部分的シンボルは次に、適宜さらに処理されて出力シンボルを生成するべく組み合わされる。ＳＴＳシンボル周期の各一部について部分的な処理を実行することによって、上記したような多くの利点が得られる。
【００８８】
部分的処理が半シンボルに関して実行される設計を想定して本発明を説明した。しかしながら、シンボル周期の他の一部についての部分的処理もまた実行可能であり、本発明の範囲に入る。例えば、部分的処理は１／４シンボル周期、１／８シンボル周期、あるいは他の分数である。
【００８９】
図５，図６そして図７に示す実施形態において、２つのアンテナから送信された２つの信号を処理するために２つの相関器が使用される。これらの相関器のそれぞれは処理されている信号インスタンスに対応するタイミングを追跡するように動作可能である。
【００９０】
２つの送信アンテナからの信号は同じタイミング（例えば、処理されている信号インスタンスの１つのタイミング、２つの信号インスタンスの平均タイミングまたはその他のタイミング）に基づいて処理される。この実施形態において、同じシンボルが送信された両方の信号に対して使用され、処理は単一（変形された）相関器によって実行される。変形された相関器は、逆拡散及び特定の時間オフセットでのデカバー処理、そして２つのパイロット復調を実行するよう設計される。両方の送信された信号に対して共通のサンプリング、デシメーション（ｄｅｃｉｍａｔｉｏｎ）、逆拡散、そしてデカバー処理が実行される。同じタイミングを使用することによりクロストークを高度に消去することができ、これによってパフォーマンスを改善することができる。
【００９１】
本発明の復調器アーキテクチャは、例えばレーキ受信器などの種々の受信器アーキテクチャにおいて使用可能である。ＣＤＭＡシステムのためのレーキ受信器の設計及び動作は米国特許第５７６４６８７号（名称：スペクトラム拡散多元接続通信システムのための移動体復調器アーキテクチャ）及び米国特許第５４９０１６５号（名称：多元信号を受信可能なシステムにおける復調要素割り当て）に詳細に記載されている。両方の特許は本発明の譲受人に譲渡され、言及によりここに組み込まれている。
【００９２】
レーキ受信器は概して、受信信号の強いインスタンスを処理するために割り当てられた多くの相関器（たとえばフィンガ）を含む。本発明の復調器アーキテクチャは、多元割り当て相関器からのシンボルまたは半シンボルの容易な組み合わせを可能とする。例えば、図４に戻って、各割り当てられた相関器からの偶数の複素シンボルは、蓄積器４４２ａに供給され、各割り当てられた相関器からの奇数の複素シンボルは、蓄積器４４２ｂに供給される。各ＳＴＳシンボル周期に対して、各蓄積器４４２は、すべての受信シンボルを合成して複素出力シンボルを提供する。概して、本発明の復調器アーキテクチャを使用するレーキ受信器は所望の数の相関器を含めることが可能である。各蓄積器は次にすべての割り当てられた相関器からのシンボルを蓄積するように設計される。
【００９３】
送信されたパイロットを回復するための処理は、当業界で知られているのでここの詳細な説明を省略する。パイロット処理は、特定のＣＤＭＡシステムまたは実現されている標準に依存する。例えば、パイロットがデータに追加される（すなわち重ね合わされる）かどうかあるいはデータに時分割多重されるかどうかに応じて、概して異なるパイロット処理が実行される。このパイロット処理の一例は米国特許出願第５７６４６８７号及び第５４９０１６５号において記載されている。
【００９４】
説明を簡単にするために、本発明の復調器アーキテクチャ、復調器そして受信器ユニットは特にＣＤＭＡ−２０００標準によって規定されたＳＴＳモードについて説明された。本発明は、同じ、類似の、あるいは異なる送信ダイバーシティモードを使用する他の通信システムにおいて使用可能である。本発明の復調器アーキテクチャは、基本的な機能（例えば、デカバー処理、パイロット復調など）を提供するのに使用可能である。基本的な機能及び／又は付加的な処理（例えば、シンボルの再配列、など）の変更が所望の結果を得るために実行される。
【００９５】
例えば、Ｗ−ＣＤＭＡ標準は、シンボルが２つのアンテナを介して冗長性をもたせている空間時間ブロック符号化送信アンテナダイバーシティ（ＳＴＴＤ）モードを提供する。ＳＴＴＤモードにおいて、データシンボルは冗長性をもたせて２つの変調器へ送信されるが、第２の変調器に送信されたシンボルは、特定の配列方法に従って、第１の変調器に供給されたシンボルに関して再配列される。ＳＴＴＤモードを支持するために、本発明の復調器アーキテクチャが、割り当てられた相関器からの復調されたシンボルを一時的に記憶し、逆の方法でシンボルを再配列し、送信されたシンボルを回復するためにシンボルを合成する。
【００９６】
上記した復調器アーキテクチャは、好ましくは、通信システムのユーザ端末（例えば、移動体ユニット、電話、など）において使用され、基地局においても使用される。ダウンリンク及びアップリンクに対する信号処理は概して異なっており、特定のＣＤＭＡ標準または実行されているシステムに依存する。すなわち、復調器アーキテクチャは概して、特に使用される特定の応用に採用される。
【００９７】
本発明の復調器アーキテクチャに対する上記のすべてあるいはいくつかの要素（例えば、複素乗算器、デカバー要素、スイッチ、遅延要素、加算器、合成器など）は、１つまたはそれ以上の特定用途向け集積回路（ＡＳＩＣ）、デジタル信号プロセッサ（ＤＳＰ）、コントローラ、マイクロコントローラ、マイクロプロセッサ、プログラマブルロジックアレイ（ＰＬＤ）、上記した機能を実行するように設計された他の電子要素、あるいはそれらの組み合わせ、により実現される。また、上記したいくつかあるいはすべての要素は、ソフトウェアまたはプロセッサ上で実行されるファームウェアを使用して実現可能である。
【００９８】
一例として、各相関器のための逆拡散器及びデカバー要素がハードウェアにて実現され、すべての相関器のためのパイロット復調及びシンボル蓄積が時分割多重方法におけるＤＳＰによって実行される。他の例として、１つの相関器及び合成器が実装されて時分割多重方法において種々の信号インスタンスに対応するサンプルを処理するのに使用される。
【００９９】
好ましい実施形態の上記の記述は、当業者が本発明を製造あるいは使用することができるようにするために提供された。これらの実施形態に対する種々の変更例が当業者にとって明らかであり、ここで規定される一般的な原理は発明能力を使用することなしに他の実施形態に適用される。すなわち、本発明はここに示された実施形態に限定されることはなく、ここに開示された原理と新規な特徴に適合する最も広い権利範囲が与えられるべきである。
【図面の簡単な説明】
本発明の特徴、本質そして利点は、図面を参照した以下の詳細な記述からより明らかになるであろう。ここで、同じ参照文字は明細書全体に渡って同じものを表わしている。
【図１】
本発明が実装される通信システムの簡略化されたブロック図である。
【図２】
ＣＤＭＡ−２０００標準に従った送信ダイバーシティモードにおいてダウンリンクデータ送信を処理するのに使用される変調器のブロック図である。
【図３】
複素乗算器の図である。
【図４】
送信ダイバーシティモードにおいて処理されたダウンリンクデータ送信を復調するのに使用される従来の復調器アーキテクチャのブロック図である。
【図５】
送信ダイバーシティモードにおいて処理されたダウンリンクデータ送信を復調可能な、本発明の復調器アーキテクチャの３つの特定の実施形態のブロック図である。
【図６】
送信ダイバーシティモードにおいて処理されたダウンリンクデータ送信を復調可能な、本発明の復調器アーキテクチャの３つの特定の実施形態のブロック図である。
【図７】
送信ダイバーシティモードにおいて処理されたダウンリンクデータ送信を復調可能な、本発明の復調器アーキテクチャの３つの特定の実施形態のブロック図である。
【符号の説明】
１００　通信システム
１１０　送信器ユニット
１１２　データ源
１１４　送信（ＴＸ）データプロセッサ
１１６　変調器（ＭＯＤ）
１１８　送信器
１２０　各アンテナ
１３０　受信器ユニット
１３２　アンテナ
１３４　受信器（ＲＣＶＲ）
１３６　復調器（ＤＥＭＯＤ）
１３８　ＲＸデータプロセッサ
１４０　データシンク
【図１】
2004503982.tif 000019
【図２】
2004503982.tif 000020
【図３】
2004503982.tif 000021
【図４】
2004503982.tif 000022
【図５】
2004503982.tif 000023
【図６】
2004503982.tif 000024
【図７】
2004503982.tif 000025
【国際公開パンフレット】
2004503982.tif 000026
2004503982.tif 000027
2004503982.tif 000028
2004503982.tif 000029
2004503982.tif 000030
2004503982.tif 000031
2004503982.tif 000032
2004503982.tif 000033
2004503982.tif 000034
2004503982.tif 000035
2004503982.tif 000036
2004503982.tif 000037
2004503982.tif 000038
2004503982.tif 000039
2004503982.tif 000040
2004503982.tif 000041
2004503982.tif 000042
2004503982.tif 000043
2004503982.tif 000044
2004503982.tif 000045
2004503982.tif 000046
2004503982.tif 000047
2004503982.tif 000048
2004503982.tif 000049
2004503982.tif 000050
2004503982.tif 000051
2004503982.tif 000052
2004503982.tif 000053
2004503982.tif 000054
2004503982.tif 000055
2004503982.tif 000056
2004503982.tif 000057
2004503982.tif 000058
2004503982.tif 000059
2004503982.tif 000060
2004503982.tif 000061
2004503982.tif 000062
2004503982.tif 000063
2004503982.tif 000064
2004503982.tif 000065
2004503982.tif 000066
【国際公開パンフレット（コレクトバージョン）】
2004503982.tif 000067
2004503982.tif 000068
【国際調査報告】
2004503982.tif 000069
2004503982.tif 000070